(57)【要約】【課題】      制動部材を支軸に対して軸受を介在させて回転させ安定した制動機能が得られる魚釣用リ−ルを提供することである。【解決手段】  スプ−ル１の内部には軸方向前側に開口した凹部１ｄと中心に貫通孔１ｅと段部で軸受嵌合凹部１ｇが形成され、凹部１ｄ内に制動部材２と摩擦板３と制動板４が収容されて軸受嵌合凹部１ｇにスプ−ル軸受１０、１１が嵌合され、制動部材２はスプ−ル１に回り止めされてスプ−ル軸受１０、１１に挿通された支軸５の先端部に螺合された制動力調節ツマミ６で制動部材２が押圧されて制動力が調節され、制動部材２の円板状の前部一側面は摩擦制動面２ｂで後部他側面はスプ−ル圧接面２ｃに構成され、中心は凹状の孔で軸受支持部２ｄに形成されて支軸５に嵌合した軸受１５が嵌合されている。【選択図】        図２
2007202416.tif 000002
【特許請求の範囲】
【請求項１】
リ−ル本体に設けた支軸に回転可能に支持したスプ−ルの軸方向に開口する凹部内に複数の制動部材を配置し、前記支軸に装着したツマミの回動操作で前記制動部材を押圧して前記支軸に対するスプ−ルの摩擦結合力を調節可能とした魚釣用リ−ルにおいて、前記支軸に対して回転自在で且つスプ−ルと係合して一体回転する制動部材の軸方向の一側面に摩擦制動面と他側面にスプ−ル圧接面をそれぞれ形成すると共に該制動部材の中央部に軸受支持部を形成し、該軸受支持部と前記支軸との間に軸受を介在して該制動部材を支軸に対して回転可能に支持したことを特徴とする魚釣用リ−ル。
【請求項２】
前記軸受支持部に支持される軸受と、前記支軸に対してスプ−ルを回転可能に支持するスプ−ル軸受とを軸方向に並設したことを特徴とする請求項１記載の魚釣用リ−ル。
【発明の詳細な説明】
【技術分野】
【０００１】
本発明は、リ−ル本体の支軸に回転可能に支持されるスプ−ルの回転に抵抗力を付与する制動装置を備えた魚釣用リ−ルに関する。
【背景技術】
【０００２】
例えば、魚釣用スピニングリ−ルに装備されるスプ−ル制動装置は、リ−ル本体に設けたハンドルの回転操作に連動して前後動する支軸（スプ−ル軸）にスプ−ルを回転自在に支持し、このスプ−ルの前部に形成した凹部内に複数の制動部材を収容し、スプ−ル軸の先端部に螺合するツマミの回動操作で制動部材の圧接力を調節し、スプ−ルに付与される抵抗力（支軸に対する摩擦結合力）を調節できるように構成されている。
実釣りにより、強い制動力を有する制動装置を頻繁に使用する釣法や殆ど使用しない、或は、弱い制動力で使用される釣法等、要求される制動特性の多様化に対応すべく、制動装置を構成するアダプタを着脱することで強制動状態と弱制動状態を選択できるようにしたものが、特許文献１で提案されている。
【特許文献１】特開２００４−２９００６３号公報
【発明の開示】
【発明が解決しようとする課題】
【０００３】
解決しようとする問題点は、この従来技術に使用されるアダプタは、スプ−ルに係止して一体回転する耳部と、この耳部と反対側に摩擦面、そして、中央部に支軸より大径の装着孔がそれぞれ形成され、軸方向に厚みのある形態を有している。
スプ−ルは支軸（支持部材）に軸受を介して回転自在に支持されており、アダプタは耳部を介して釣糸の繰り出しで回転するスプ−ルと一体的に回転するように構成されているが、支軸の外周が非円形状に形成されていること、及び、アダプタの中央装着孔が支軸より大径で径方向にガタが発生してしまうことにより、支軸に対するアダプタの支持精度が低く、又、ガタを抑えるように嵌合させると摩耗したり、片当たり現象により摩擦抵抗にムラが生じたり等、支持に対し釣糸の繰り出しでスプ−ルと一体回転するアダプタに安定した制動機能が得られない課題が残されている。
【０００４】
本発明の目的は前記欠点に鑑み、制動部材を支軸に対して軸受を介在させて回転させ安定した制動機能が得られる魚釣用リ−ルを提供することである。
【課題を解決するための手段】
【０００５】
本発明の請求項１は、リ−ル本体に設けた支軸に回転可能に支持したスプ−ルの軸方向に開口する凹部内に複数の制動部材を配置し、前記支軸に装着したツマミの回動操作で前記制動部材を押圧して前記支軸に対するスプ−ルの摩擦結合力を調節可能とした魚釣用リ−ルにおいて、前記支軸に対して回転自在で且つスプ−ルと係合して一体回転する制動部材の軸方向の一側面に摩擦制動面と他側面にスプ−ル圧接面をそれぞれ形成すると共に該制動部材の中央部に軸受支持部を形成し、該軸受支持部と前記支軸との間に軸受を介在して該制動部材を支軸に対して回転可能に支持したことを要旨とするものである。
本発明の請求項２は、前記軸受支持部に支持される軸受と、前記支軸に対してスプ−ルを回転可能に支持するスプ−ル軸受とを軸方向に並設したことを要旨とするものである。
【発明の効果】
【０００６】
本発明の請求項１によれば、釣糸の繰り出しで支軸に対してスプ−ルと共に一体回転する制動部材を、制動部材の軸受支持部に嵌合した軸受を介して支軸に回転自在に支持する構成としたので、制動部材の高い支持精度が得られて安定したスプ−ル制動を常時維持発揮できると共に、不要な摩擦や摩耗を防止することが出来、耐久性が向上する。
本発明の請求項２によれば、支軸に対するスプ−ルの軸受間隔が軸方向に広くなるので、スプ−ルの支軸に対する支持がより安定して振れ難くなり、釣糸の繰り出しをよりスム−ズにムラなく行える。
【発明を実施するための最良の形態】
【０００７】
スプ−ル１の釣糸巻回胴部１ｂ内部には軸方向前側に開口した凹部１ｄと中心に貫通孔１ｅが形成され、凹部１ｄの内周に複数本の軸方向の横溝１ｆが形成され、貫通孔１ｅに段部で軸受嵌合凹部１ｇが形成されている。
凹部１ｄ内に制動部材２と摩擦板３と制動板４が収容されて軸受嵌合凹部１ｇにスプ−ル軸受１０、１１がスペ−サ１２を挟んで嵌合され、スプ−ル軸受１０、１１に挿通されたスプ−ル軸からなる支軸５の先端部に螺合された制動力調節ツマミ６で制動部材２が押圧されて制動力が調節される。
制動部材２は円板状で外周に複数の突部２ａが形成されて横溝１ｅに挿入されてスプ−ル１に回り止めされている。
制動部材２の円板状の前部一側面は摩擦制動面２ｂで後部他側面はスプ−ル圧接面２ｃに構成され、円板状の中心は凹状の孔で軸受支持部２ｄに形成されている。
軸受支持部２ｄ内には支軸５に嵌合した軸受１５が嵌合されている。
支軸５に制動板４が回り止め嵌合されている。
【実施例１】
【０００８】
以下、図示の実施例によって本発明を説明すると、図１と図２は第１実施例で魚釣用リ−ルを魚釣用スピニングリ−ルで述べれば、図１は魚釣用スピニングリ−ルのスプ−ルの要部断面側面図、図２は図１の要部拡大断面側面図である。
【０００９】
魚釣用スピニングリ−ルのスプ−ル１は、外形が前側の鍔部１ａと釣糸が巻回される外周テ−パ−状の釣糸巻回胴部１ｂと円筒状の後側円筒部１ｃとで形成されている。
スプ−ル１の釣糸巻回胴部１ｂ内部には軸方向前側に開口した凹部１ｄと中心に貫通孔１ｅが形成され、凹部１ｄの内周に複数本の軸方向の横溝１ｆが形成され、貫通孔１ｅに段部で軸受嵌合凹部１ｇが形成されている。
凹部１ｄ内に制動部材２と摩擦板３と制動板４が収容されて軸受嵌合凹部１ｇにスプ−ル軸受１０、１１がスペ−サ１２を挟んで嵌合され、スプ−ル軸受１０、１１に挿通されたスプ−ル軸からなる支軸５の先端部に螺合された制動力調節ツマミ６で制動部材２が押圧されて制動力が調節される。
支軸５は太径部５ａと細径部５ｂで形成され、細径部５ｂに回り止め部５ｃと螺子部５ｄが形成されている。
支軸５の細径部５ｂがスプ−ル軸受１０、１１に挿通される前に細径部５ｂ外周に摩擦板１３と円板１４が嵌合される。
制動部材２は円板状で外周に複数の突部２ａが形成されて横溝１ｅに挿入されてスプ−ル１に回り止めされている。
制動部材２の円板状の前部一側面は摩擦制動面２ｂで後部他側面はスプ−ル圧接面２ｃに構成され、円板状の中心は凹状の孔で軸受支持部２ｄに形成されている。
軸受支持部２ｄ内には支軸５に嵌合した軸受１５が嵌合されている。
支軸５に制動板４が回り止め嵌合されている。
【００１０】
制動力調節ツマミ６は円板部６ａの下側に有底筒部６ｂが上側に筒部６ｃと図示しないツマミ部が形成されている。
有底筒部６ｂと筒部６ｃ内には２段の凹部６ｄ、６ｅと透孔６ｆが形成され、凹部６ｄ内にバネ部材１６とナット１７が挿入されて止め具１８で抜け止めされている。
透孔６ｆに支軸５が挿通されて先端部にナット１７が螺合される。
凹部６ｅの開口縁にネジ部６ｇが形成されている。
凹部６ｅ内にはバネ部材１９と環状板２０が挿入されてカバ−体７で抜け止めされている。
カバ−体７の外周には螺子部７ａが形成されて制動力調節ツマミ６の開口縁のネジ部６ｇに螺合される。
カバ−体７の表面には溝７ｂが形成され、溝７ｂの左右に複数の貫通孔７ｃが形成されている。
【００１１】
制動力調節ツマミ６で制動力が調節される時には筒部６ｃの横の図示しないツマミ部が回動されて押圧力が調節される。
制動力調節ツマミ６が締め付けられると、支軸５が前方に引き寄せられると共に制動板４が押圧されて摩擦板３が制動部材２に押圧されて制動力が調節される。
【００１２】
前記のように魚釣用リ−ルが構成されると、釣糸の繰り出しで支軸５に対してスプ−ル１と共に一体回転する制動部材２を、制動部材２の軸受支持部２ｄに嵌合した軸受１５を介して支軸５に回転自在に支持する構成としたので、制動部材２の高い支持精度が得られて安定したスプ−ル制動を常時維持発揮できると共に、不要な摩擦や摩耗を防止することが出来、耐久性が向上する。
支軸５に対するスプ−ル１の軸受間隔が軸方向に広くなるので、スプ−ル１の支軸５に対する支持がより安定して振れ難くなり、釣糸の繰り出しをよりスム−ズにムラなく行える。
【実施例２】
【００１３】
図３、図４は第２実施例で魚釣用リ−ルを魚釣用スピニングリ−ルで述べれば、図３は魚釣用スピニングリ−ルのスプ−ルの断面側面図、図４は図３の要部拡大断面側面図である。
【００１４】
第２実施例では、スプ−ル軸からなる支軸５の細径部５ｂ外周に支持部材８が回り止め嵌合されている。
スプ−ル１の釣糸巻回胴部１ｂ内部には軸方向前側に開口した凹部１ｈと後方に開口した凹部１ｉと、凹部１ｈと凹部１ｉを貫通する複数の小孔１ｊと中心に孔１ｋと段部で軸受嵌合凹部１ｍが形成されている。
凹部１ｈ内に制動部材９と摩擦板２１と制動板２２が収容されて軸受嵌合凹部１ｍにスプ−ル軸受２３、２４がスペ−サ２５を挟んで嵌合され、スプ−ル軸受２３、２４に支持部材８が挿通されている。
制動板２２は支持部材８の先端外周に回り止め嵌合されている。
【００１５】
支持部材８は中心に内周面に回り止め形成された貫通孔８ａと後端に鍔部８ｂと段部８ｃと軸部８ｄと軸部８ｄの軸方向の途中に周溝８ｅと先端に図示しない回り止め部が形成されている。
鍔部８ｂの前側には摩擦板２６がスプ−ルとの間に挟まれ、段部８ｃはスプ−ル軸受２４に臨まされている。
周溝８ｅにはＯリング２７が嵌合されている。
制動部材９は円板状で外周に近い後面に複数の突部９ａが形成されて小孔１ｊに挿入されてスプ−ル１に回り止めされている。
制動部材９の円板状の前部一側面は摩擦制動面９ｂで後部他側面はスプ−ル圧接面９ｃに構成され、円板状の中心は凹状の孔で軸受支持部９ｄに形成されている。
軸受支持部９ｄ内には支持部材８に嵌合した軸受２８が嵌合されている。
他の構成は前記第１実施例と同様であるため、それらの説明は省略する。
【００１６】
第２実施例のように魚釣用リ−ルが構成されると、釣糸の繰り出しで支持部材８を介して支軸５に対してスプ−ル１と共に一体回転する制動部材９を、制動部材９の軸受支持部９ｄに嵌合した軸受２８を介して支持部材８に回転自在に支持する構成としたので、制動部材９の高い支持精度が得られて安定したスプ−ル制動を常時維持発揮できると共に、不要な摩擦や摩耗を防止することが出来、耐久性が向上する。
支持部材８に対するスプ−ル１の軸受間隔が軸方向に広くなるので、スプ−ル１の支持部材８を介して支軸５に対する支持がより安定して振れ難くなり、釣糸の繰り出しをよりスム−ズにムラなく行える。
【産業上の利用可能性】
【００１７】
前記説明では、魚釣用リ−ルを魚釣用スピニングリ−ルで述べたが、他の形式のリ−ルに実施してもよい。
なお、本発明は、前述した実施形態に限定されることなく、その要旨を逸脱しない範囲で種々変形実施できることは言うまでもない。
【図面の簡単な説明】
【００１８】
【図１】第１実施例で、魚釣用スピニングリ−ルのスプ−ルの要部断面側面図である。
【図２】同図１の要部拡大断面側面図である。
【図３】第２実施例で、魚釣用スピニングリ−ルのスプ−ルの断面側面図である。
【図４】同図３の要部拡大断面側面図である。
【符号の説明】
【００１９】
１  スプ−ル
２、９  制動部材
２ｂ、９ｂ  摩擦制動面
２ｃ、９ｃ  スプ−ル圧接面
２ｄ、９ｄ  軸受支持部
５  支軸
６  制動力調節ツマミ
１０、１１、２３、２４  スブ−ル軸受
１５、２８  軸受
【図１】
2007202416.tif 000003
【図２】
2007202416.tif 000004
【図３】
2007202416.tif 000005
【図４】
2007202416.tif 000006